(57)【要約】【課題】装置に装着された着脱記録媒体の盗難を防止する。【解決手段】カバー開閉センサ１５Ａによりカバー１５の開閉を検出し、カバー１５が閉じられた場合に記録媒体１８が装着されているかを検出し、カバー１５が閉じられ、かつ、記録媒体１８が装着されている場合にカバー１５をロックし、カバー１５がロック状態かアンロック状態かを検出し、カバー１５がアンロック状態の場合に記録媒体１８が装着されているかを検出し、カバー１５がアンロック状態で、かつ、記録媒体１８が装着されている場合に警告メッセージを表示し、カバー破壊センサ１５Ｂによりカバー１５の破壊を検出し、カバー１５の破壊が検出された場合に警告音を出力するとともに所定の連絡先に通知する。【選択図】      図１
2008257337.tif 000002
【特許請求の範囲】
【請求項１】
記録媒体を挿入，装着するための記録媒体挿入口と、前記記録媒体挿入口を閉塞するカバーと、前記カバーの開閉状態を検出するカバー開閉センサと、前記カバー開閉センサにより前記カバーの閉状態が検出されたときに前記カバーをロックする手段とを有することを特徴とする着脱記録媒体盗難防止装置。
【請求項２】
記録媒体を挿入，装着するための記録媒体挿入口と、前記記録媒体挿入口を閉塞するカバーと、前記カバーの開閉を検出するカバー開閉センサと、前記カバー開閉センサにより前記カバーの閉状態が検出されたときに記録媒体が装着されているかを検出する手段と、前記カバーが閉状態で、かつ、記録媒体が装着されている場合に前記カバーをロックする手段とを有することを特徴とする着脱記録媒体盗難防止装置。
【請求項３】
前記カバーがロック状態かアンロック状態かを検出する手段と、前記カバーがアンロック状態の場合に警告メッセージを表示する手段とを、さらに有することを特徴とする請求項１または２記載の着脱記録媒体盗難防止装置。
【請求項４】
前記カバーがロック状態かアンロック状態かを検出する手段と、前記カバーがアンロック状態の場合に記録媒体が装着されているかを検出する手段と、前記カバーがアンロック状態で、かつ、記録媒体が装着されている場合に警告メッセージを表示する手段とを、さらに有することを特徴とする請求項１または２記載の着脱記録媒体盗難防止装置。
【請求項５】
前記カバーの破壊を検出するカバー破壊センサと、前記カバー破壊センサにより前記カバーの破壊が検出されたときに警告音を出力するとともに所定の連絡先に通知する手段とを、さらに有することを特徴とする請求項１，２，３または４記載の着脱記録媒体盗難防止装置。
【請求項６】
前記カバーのロックは、前記カバーに備えられたロック用穴にソレノイドの可動部を挿入することにより行うことを特徴とする請求項１〜５のいずれか１項記載の着脱記録媒体盗難防止装置。
【請求項７】
カバー開閉センサによりカバーの開閉を検出するステップと、前記カバーが閉じられた場合に前記カバーをロックするステップと、前記カバーがロック状態かアンロック状態かを検出するステップと、前記カバーがアンロック状態の場合に警告メッセージを表示するステップと、カバー破壊センサにより前記カバーの破壊を検出するステップと、前記カバーの破壊が検出された場合に警告音を出力するとともに所定の連絡先に通知するステップとを有することを特徴とする着脱記録媒体の盗難防止方法。
【請求項８】
カバー開閉センサによりカバーの開閉を検出するステップと、前記カバーが閉じられた場合に記録媒体が装着されているかを検出するステップと、前記カバーが閉じられ、かつ、記録媒体が装着されている場合に前記カバーをロックするステップと、前記カバーがロック状態かアンロック状態かを検出するステップと、前記カバーがアンロック状態の場合に記録媒体が装着されているかを検出するステップと、前記カバーがアンロック状態で、かつ、記録媒体が装着されている場合に警告メッセージを表示するステップと、カバー破壊センサにより前記カバーの破壊を検出するステップと、前記カバーの破壊が検出された場合に警告音を出力するとともに所定の連絡先に通知するステップとを有することを特徴とする着脱記録媒体の盗難防止方法。
【請求項９】
カバーが閉じられた場合にソレノイドを駆動して前記カバーをロックする機能、前記カバーがロック状態かアンロック状態かを検出する機能、前記カバーがアンロック状態の場合に警告メッセージを表示する機能、前記カバーの破壊が検出された場合に警告音を出力するとともに所定の連絡先に通知する機能、をコンピュータに実現させるためのプログラム。
【請求項１０】
カバーが閉じられた場合に記録媒体が装着されているかを検出する機能、前記カバーが閉じられ、かつ、記録媒体が装着されている場合にソレノイドを駆動して前記カバーをロックする機能、前記カバーがロック状態かアンロック状態かを検出する機能、前記カバーがアンロック状態の場合に記録媒体が装着されているかを検出する機能、前記カバーがアンロック状態で、かつ、記録媒体が装着されている場合に警告メッセージを表示する機能、前記カバーの破壊が検出された場合に警告音を出力するとともに所定の連絡先に通知する機能、をコンピュータに実現させるためのプログラム。
【発明の詳細な説明】
【技術分野】
【０００１】
本発明は、携帯電話機等に装着される記録媒体の盗難を防止する着脱記録媒体盗難防止装置，着脱記録媒体の盗難防止方法およびプログラムに関する。
【背景技術】
【０００２】
近年、携帯電話機等においては高機能化や通信速度の高速化等により大容量メモリの需要が高まっており、メモリを拡張するためのメモリカード等の着脱記録媒体の装着が一般的になっている。そして、この着脱記録媒体の普及に伴い、着脱記録媒体の盗難防止対策が求められている。
【０００３】
この着脱記録媒体の盗難防止対策については、例えば、特開平１１−６８８９号公報（特許文献１）に開示されている。この特許文献１においては、
・ノート型パソコン等の携帯端末に備えられたユニット挿入口から機能拡張ユニットを挿入，装着し、
・ユニット挿入口近くに備えられたロック機構を施錠操作することにより、ユニット挿入口の一部分を覆うようにカバーをスライドさせ、その状態でロックすることにより機能拡張ユニットを引き出し不可の状態にし、
・機能拡張ユニットの排出にあたっては、ロック機構を解錠操作することによりカバーのロックを解除して元の位置（ユニット挿入口を覆わない位置）に戻す、
ことが記載されている。
【０００４】
【特許文献１】特開平１１−６８８９号公報（段落「００１１」〜「００１４」、図２）
【発明の開示】
【発明が解決しようとする課題】
【０００５】
上述した特許文献１においては、ユニット挿入口のカバーのロックやロック解除を鍵による施錠，解錠操作により行っている。このため、ユーザは常に鍵を所持していなければならないという煩わしさや、鍵を紛失するとロックやロック解除ができないという問題がある。
【０００６】
本発明の目的は、以上の課題を解決する着脱記録媒体盗難防止装置，着脱記録媒体の盗難防止方法およびプログラムを提供することにある。
【課題を解決するための手段】
【０００７】
本発明の第１の着脱記録媒体盗難防止装置は、記録媒体を挿入，装着するための記録媒体挿入口と、前記記録媒体挿入口を閉塞するカバーと、前記カバーの開閉状態を検出するカバー開閉センサと、前記カバー開閉センサにより前記カバーの閉状態が検出されたときに前記カバーをロックする手段とを有する。
【０００８】
本発明の第２の着脱記録媒体盗難防止装置は、記録媒体を挿入，装着するための記録媒体挿入口と、前記記録媒体挿入口を閉塞するカバーと、前記カバーの開閉を検出するカバー開閉センサと、前記カバー開閉センサにより前記カバーの閉状態が検出されたときに記録媒体が装着されているかを検出する手段と、前記カバーが閉状態で、かつ、記録媒体が装着されている場合に前記カバーをロックする手段とを有する。
【０００９】
本発明の第３の着脱記録媒体盗難防止装置は、本発明の第１または第２の着脱記録媒体盗難防止装置において、前記カバーがロック状態かアンロック状態かを検出する手段と、前記カバーがアンロック状態の場合に警告メッセージを表示する手段とを、さらに有する。
【００１０】
本発明の第４の着脱記録媒体盗難防止装置は、本発明の第１または第２の着脱記録媒体盗難防止装置において、前記カバーがロック状態かアンロック状態かを検出する手段と、前記カバーがアンロック状態の場合に記録媒体が装着されているかを検出する手段と、前記カバーがアンロック状態で、かつ、記録媒体が装着されている場合に警告メッセージを表示する手段とを、さらに有する。
【００１１】
本発明の第５の着脱記録媒体盗難防止装置は、本発明の第１，第２，第３または第４の着脱記録媒体盗難防止装置において、前記カバーの破壊を検出するカバー破壊センサと、前記カバー破壊センサにより前記カバーの破壊が検出されたときに警告音を出力するとともに所定の連絡先に通知する手段とを、さらに有する。
【００１２】
本発明の第６の着脱記録媒体盗難防止装置は、本発明の第１〜第５のいずれかの着脱記録媒体盗難防止装置において、前記カバーのロックは、前記カバーに備えられたロック用穴にソレノイドの可動部を挿入することにより行うことを特徴とする。
【００１３】
本発明の第１の着脱記録媒体の盗難防止方法は、カバー開閉センサによりカバーの開閉を検出するステップと、前記カバーが閉じられた場合に前記カバーをロックするステップと、前記カバーがロック状態かアンロック状態かを検出するステップと、前記カバーがアンロック状態の場合に警告メッセージを表示するステップと、カバー破壊センサにより前記カバーの破壊を検出するステップと、前記カバーの破壊が検出された場合に警告音を出力するとともに所定の連絡先に通知するステップとを有する。
【００１４】
本発明の第２の着脱記録媒体の盗難防止方法は、カバー開閉センサによりカバーの開閉を検出するステップと、前記カバーが閉じられた場合に記録媒体が装着されているかを検出するステップと、前記カバーが閉じられ、かつ、記録媒体が装着されている場合に前記カバーをロックするステップと、前記カバーがロック状態かアンロック状態かを検出するステップと、前記カバーがアンロック状態の場合に記録媒体が装着されているかを検出するステップと、前記カバーがアンロック状態で、かつ、記録媒体が装着されている場合に警告メッセージを表示するステップと、カバー破壊センサにより前記カバーの破壊を検出するステップと、前記カバーの破壊が検出された場合に警告音を出力するとともに所定の連絡先に通知するステップとを有する。
【００１５】
本発明の第１のプログラムは、カバーが閉じられた場合にソレノイドを駆動して前記カバーをロックする機能、前記カバーがロック状態かアンロック状態かを検出する機能、前記カバーがアンロック状態の場合に警告メッセージを表示する機能、前記カバーの破壊が検出された場合に警告音を出力するとともに所定の連絡先に通知する機能、をコンピュータに実現させる。
【００１６】
本発明の第２のプログラムは、カバーが閉じられた場合に記録媒体が装着されているかを検出する機能、前記カバーが閉じられ、かつ、記録媒体が装着されている場合にソレノイドを駆動して前記カバーをロックする機能、前記カバーがロック状態かアンロック状態かを検出する機能、前記カバーがアンロック状態の場合に記録媒体が装着されているかを検出する機能、前記カバーがアンロック状態で、かつ、記録媒体が装着されている場合に警告メッセージを表示する機能、前記カバーの破壊が検出された場合に警告音を出力するとともに所定の連絡先に通知する機能、をコンピュータに実現させる。
【発明の効果】
【００１７】
本発明においては、記録媒体挿入口用カバーの開閉を検出し、カバーが閉状態になったときにカバーを自動的にロックするようにしている。これにより、ユーザはカバーを閉じるだけで自動的にカバーがロックされるため、従来行っていた鍵による施錠等を行う必要がなくなり、ユーザに負担がかからない盗難防止対策が行えるという効果が得られる。
【発明を実施するための最良の形態】
【００１８】
本発明の実施の形態について図面を参照して詳細に説明する。
【００１９】
図１は本発明の一実施の形態の構成を示す図である。なお、本実施の形態においては、着脱記録媒体盗難防止装置として携帯電話機，ＰＨＳ(Personal Handyphone System)，ＰＤＡ(Personal Digital Assistance)等の携帯端末を想定しているが、パーソナルコンピ
ュータ等の情報処理装置であってもよい。図１を参照すると、携帯端末１０は、無線部１１と、アンテナ１１Ａと、入力部１２と、表示部１３と、スピーカ１４と、カバー１５と、カバー開閉センサ１５Ａと、カバー破壊センサ１５Ｂと、ソレノイド１６と、記憶部１７と、記録媒体１８と、制御部１９とを備えている。
【００２０】
無線部１１は図示しない基地局との間でアンテナ１１Ａを介して無線信号の送受信を行う通信装置であり、入力部１２はテンキー，機能キー，ポインティングデバイス等の入力装置である。表示部１３はＬＣＤ(Liquid Crystal Display)等の表示装置であり、スピーカ１４は音声や警告音等を出力する。カバー１５は、図２（本発明における携帯端末１０の外観図）に示すように、スライドすることにより記録媒体挿入口（記録媒体用スロット）を閉塞するものである。このカバー１５には、開閉のためにユーザが持つ突出部と、ロック時にソレノイド１６の可動部（可動鉄芯や可動鉄芯の先端に付けられたプッシュバー等）が挿入されるロック用穴とを備えている。なお、このロック用穴は、カバー１５が閉じられた状態でソレノイド１６の可動部に対向する位置に設けられ、可動部が挿入されるのに十分な大きさをもったものである。
【００２１】
カバー開閉センサ１５Ａは、カバー１５の開閉を検出するセンサであり、図３（カバー１５のロック状態，アンロック状態を示す図）に示すように、カバー１５の閉状態ではカバー１５と対向し、開状態ではカバー１５と対向しない位置に備えられている。なお、閉状態とは、図３（Ｂ）に示すように、カバー１５の閉じる方向の先端部分が携帯端末１０の筐体に到達しそれ以上進めない状態を意味し、開状態はそれ以外の状態を意味している。このカバー開閉センサ１５Ａは、例えば、磁気センサでもよいし、発光素子と受光素子を用いたものでもよい。図３を参照して説明すると、磁気センサを用いる場合は、カバー開閉センサ１５Ａの位置に磁気センサを備え、カバー１５を閉じたときにカバー開閉センサ１５Ａに対向するカバー部分に磁石を備える。これにより、磁石はカバー１５が閉じられているときには磁気センサーに対向した位置に接近し、カバー１５が開かれているときは磁気センサから離れることになる。これにより、磁気センサは磁力の強さを検出することによりカバー１５の開閉状態を検出することができる。この磁気センサを用いた開閉検出については、特開２００２−１２５０２５号公報にも開示されている。また、発光素子と受光素子を用いる場合は、カバー開閉センサ１５Ａの位置に発光素子を備え、カバー１５の通路を介して対向する位置に受光素子を備える。これにより、受光素子は、カバー１５が開かれているときは発光素子から所定強度の光を受け、カバー１５が閉じられているときは発光素子から殆ど受光しなくなるため、カバー１５の開閉状態を検出することができる。この発光素子と受光素子を用いた開閉検出については、特開２００１−２２４７２号公報にも開示されている。なお、本発明は開閉検出手段には限定されず、また、検出方法の詳細を説明するのが主旨でもないため、これ以上の説明は省略する。
【００２２】
カバー破壊センサ１５Ｂは、カバー１５が破壊されたか否かを検出するセンサである。ここで、カバー１５の破壊とは、何らかの手段（工具による強引な剥がしや切断等）によりカバー１５が記録媒体挿入口から取り外された状態を意味している。この破壊の検出は、例えば、上述した発光素子と受光素子を用いて行うことができる。カバー１５は図３に示すように携帯端末１０の筐体内にはめこまれた状態であり、横方向へのスライドは可能であるが、外部に取り出すことは不可となっている。このような携帯端末１０において、開閉状態に関係なく（開状態でも閉状態でも）カバー１５が存在する位置（図３のカバー破壊センサ１５Ｂの位置）に発光素子を備え、カバー１５を介して発光素子と対向する位置に受光素子を備える。これにより、受光素子は、開閉状態に関係なくカバー１５が存在する場合は発光素子から殆ど受光せず、カバー１５が存在しない場合（破壊されて取り外された場合）は所定強度の光を受けるようになるため、カバー１５が破壊されたか否かを検出することができる。
【００２３】
ソレノイド１６は、図示しない励磁コイルや固定鉄芯，可動鉄芯を備えた公知のアクチュエータ（電磁石）であり、励磁コイルに通電して電磁エネルギーを機械的直線運動に変換し、可動鉄芯の引き込み（プル型）や押し出し（プッシュ型）を行う。本実施の形態においては、プッシュ型を用いて説明する。図３を参照すると、（Ａ）のアンロック状態においては、ソレノイド１６には通電されず可動鉄芯も動いていない状態を示している。一方、（Ｂ）のロック状態においては、ソレノイド１６は通電され可動鉄芯がカバー１５に向かって直線運動することによりカバー１５のロック用穴に挿入された状態（カバー１５のロック状態）を示している。
【００２４】
記憶部１７は、携帯端末１０に内蔵された読み出し，書き込み可能な記憶装置であり、連絡先メールアドレスの格納領域を含んでいる。なお、連絡先メールアドレスとは、カバー破壊センサ１５Ｂによりカバー１５の破壊が検出されたときに、その旨を通知する相手のメールアドレスであり、ユーザによって予め登録される。記録媒体１８は、携帯端末１０等への着脱が可能な板状，小型の記録媒体であり、例えば、メモリカード等である。
【００２５】
制御部１９は、ＣＰＵ(Central Processing Unit)等の制御装置であり、プログラムに
より動作を制御される。この制御部１９は、
・カバー１５が開状態から閉状態になったことをカバー開閉センサ１５Ａから受信したときに、記録媒体１８の装着状態を確認する機能と、
・記録媒体１８が装着されていた場合に、ソレノイド１６を駆動しカバー１５をロックさせる機能と、
・ロック解除要求があった場合に暗証番号による認証を行う機能と、
・ロック解除用暗証番号が認証された場合に、ソレノイド１６によるカバー１５のロックを解除させる機能と、
・アンロック状態（ロック解除状態）で、かつ、記録媒体１８が装着されていた場合に警告表示を行う機能と、
・カバー破壊センサ１５Ｂから破壊状態になった旨の通知を受けた場合に、警告音を出力するとともに、所定の連絡先に通知する機能と、
を備えている。
【００２６】
次に、本発明の一実施の形態の動作について説明する。
【００２７】
最初に、記録媒体１８装着時の動作について図１〜図４を参照して説明する。なお、図４は本発明の一実施の形態における記録媒体１８装着時の動作を示すフローチャートである。
【００２８】
図４を参照すると、カバー開閉センサ１５Ａは定期的に（または、常時）カバー１５の開閉状態を監視している（ステップＡ１）。ユーザは記録媒体１８を携帯端末１０に装着したい場合、カバー１５の突出部を持ってカバー１５が開く方向にスライドさせ、記録媒体挿入口（図２参照）から記録媒体１８を挿入，装着する。この状態が図３（Ａ）の状態である。その後、ユーザはカバー１５の突出部を持ってカバー１５が閉じる方向に進まなくなるまでスライドさせる。カバー開閉センサ１５Ａは開状態から閉状態になったことを検出すると制御部１９にその旨を通知する。なお、閉状態とは、図３（Ｂ）に示すように、カバー１５の閉じる方向の先端部分が携帯端末１０の筐体に到達しそれ以上進めない状態を意味し、開状態はそれ以外の状態を意味している（ステップＡ２）。
【００２９】
カバー１５が開状態から閉状態になった場合、制御部１９は記録媒体１８が装着されているかを確認する。なお、装着されているか否かの確認は、例えば、携帯端末１０に備えられた図示しない記録媒体１８用コネクタ部に記録媒体１８が接続されているか否かで判断する。装着されていなかった場合は、制御部１９は処理を終了する（ステップＡ３）。装着されていた場合は、制御部１９はソレノイド１６への通電を開始し、ソレノイド１６の図示しない可動鉄芯がカバー１５のロック用穴に挿入されることにより、カバー１５がロックされ、外部から開くことは不可能な状態になる。この状態が図３（Ｂ）の状態である（ステップＡ４）。この後、制御部１９は、ロック状態であることを記憶部１７の図示しない領域に登録する（ステップＡ５）。
【００３０】
以上説明したように、カバー開閉センサ１５Ａによりカバー１５の開閉を検出し、カバー１５が閉状態で、かつ、記録媒体１８装着時に、カバー１５を自動的にロックするようにしている。これにより、ユーザは記録媒体１８を装着してカバー１５を閉じるだけで自動的にカバー１５がロックされるため、従来例のような鍵による施錠等を行う必要がなくなり、ユーザに負担がかからない盗難防止対策が行えるという効果が得られる。
【００３１】
次に、カバー１５のロック解除時の動作について図１〜図３および図５を参照して説明する。なお、図５は本発明の一実施の形態におけるロック解除時の動作を示すフローチャートである。
【００３２】
図５を参照すると、ユーザはカバー１５のロックを解除したい場合、ロック解除要求を行う。このロック解除要求は、例えば、入力部１２の所定キーの押下により行われる（ステップＢ１）。制御部１９は、ロック解除要求を受けてロック状態かアンロック状態かを、記憶部１７の図示しない所定領域にロック状態が登録されているか否かで判断する。ロック状態である場合は、図４のステップＡ５で説明したように、その旨が記憶部１７に登録されている（ステップＢ２）。ステップＢ２において、ロック状態でなかった場合（アンロック状態）は、制御部１９はその旨を表示部１３に表示し（ステップＢ３）、処理を終了する。ステップＢ２において、ロック状態であった場合は、制御部１９はロック解除用暗証番号入力画面を表示部１３に表示し、ユーザに暗証番号の入力を要求する。ユーザは入力部１２から暗証番号を入力する（ステップＢ４）。制御部１９は、入力された暗証番号が予め記憶部１７に設定されたロック解除用暗証番号と一致するかを照合する（ステップＢ５）。
【００３３】
ステップＢ５において、予め設定されたロック解除用暗証番号と一致しない場合、制御部１９は暗証番号が違う旨のメッセージを表示部１３に表示するとともに（ステップＢ６）、誤った暗証番号の入力回数をカウントする（ステップＢ７）。制御部１９は、入力回数が所定回数未満の場合はステップＢ４に戻り、入力回数が所定回数以上の場合は処理を終了する。ステップＢ５において、予め設定されたロック解除用暗証番号と一致した場合、制御部１９はソレノイド１６に対する通電を停止し、ソレノイド１６は図示しないバネにより可動鉄芯をプッシュ状態から復帰させる。これにより、カバー１５のロック用穴からソレノイド１６の可動鉄芯が抜けてロックが解除される。この後、ユーザはカバー１５の突出部を持ってスライドさせることによりカバー１５を開くことができる（図３のアンロック状態参照）（ステップＢ８）。次に、制御部１９は、図４のステップＡ５で記憶部１７に格納されていたロック状態の登録を消去する（ステップＢ９）。
【００３４】
以上説明したように、ロック解除要求に対して、暗証番号の認証によりソレノイド１６の可動鉄芯を復帰させカバー１５のロックを解除している。これにより、ユーザは暗証番号を入力するだけで自動的にカバー１５のロックが解除されるため、従来例のような鍵による解錠等を行う必要がなくなり、鍵を常時所持する煩わしさから解放されるという効果が得られる。
【００３５】
次に、カバー１５のアンロック状態における警告動作について図１〜図３および図６を参照して説明する。なお、図６は本発明の一実施の形態におけるアンロック状態警告時の動作を示すフローチャートである。
【００３６】
図６を参照すると、制御部１９はカバー１５がロック状態かアンロック状態かを定期的に確認する。このロック状態かアンロック状態かの確認は、記憶部１７にロック状態が登録されているか否かにより判断する（ステップＣ１）。ロック状態であった場合（ロック状態であることが記憶部１７に登録されていた場合）は、制御部１９は処理を終了する。ロック状態でなかった場合（ロック状態であることが記憶部１７に登録されていなかった場合）は、制御部１９は記録媒体１８が装着されているかを確認する。なお、装着されているか否かの確認は、例えば、携帯端末１０に備えられた図示しない記録媒体１８用コネクタ部に記録媒体１８が接続されているか否かで判断する。装着されていなかった場合は、制御部１９は処理を終了する（ステップＣ２，Ｃ３）。記録媒体１８が装着されていた場合は、制御部１９は警告音をスピーカ１４から出力させるとともに、カバー１５を閉じるよう要求する旨の警告メッセージを表示部１３に表示する（ステップＣ４）。
【００３７】
警告表示を見たユーザがカバー１５を閉じると、カバー開閉センサ１５Ａはカバー１５が閉じられたこと（開状態→閉状態）を検出して制御部１９に通知する。制御部１９はソレノイド１６への通電を開始し、ソレノイド１６の図示しない可動鉄芯がカバー１５のロック用穴に挿入されることにより、カバー１５がロックされる（ステップＣ５，Ｃ６）。この後、制御部１９は、ステップＣ４による警告表示を終了させ（ステップＣ７）、ロック状態であることを記憶部１７の図示しない領域に登録する（ステップＣ８）。
【００３８】
以上説明したように、カバー１５がアンロック状態で、かつ、記録媒体１８が装着されている場合に、ユーザに対してカバー１５を閉じるよう警告するようにしている。これにより、ユーザがカバー１５を閉じるのを忘れていた場合に警告できるため、記録媒体１８の盗難防止に役立つという効果が得られる。
【００３９】
次に、カバー１５の破壊時における動作について図１〜図３および図７を参照して説明する。なお、図７は本発明の一実施の形態におけるカバー１５破壊時の動作を示すフローチャートである。
【００４０】
図７を参照すると、カバー破壊センサ１５Ｂは定期的に（または、常時）カバー１５が破壊されていないかを監視している。第三者が工具等によりカバー１５を強引に取り外すと、例えば、発光素子，受光素子からなるカバー破壊センサ１５Ｂは、受光素子の受光量を基に発光素子，受光素子間に存在すべきカバー１５がなくなった（破壊された）ことを識別する（ステップＤ１）。カバー破壊センサ１５Ｂはカバー１５の破壊を検出すると、その旨を制御部１９に通知し、制御部１９は、警告音をスピーカ１４から出力させる（ステップＤ２，Ｄ３）。次に、制御部１９は記憶部１７に予め登録された連絡先メールアドレスを取得し、連絡先メールアドレス宛にカバー１５が破壊されたことを通知する（ステップＤ４）。
【００４１】
以上説明したように、カバー１５が破壊されたことをカバー破壊センサ１５Ｂにより検出し、警告音出力や所定連絡先への警告メール送信を自動的に行っている。これにより、カバー１５破壊者への威嚇を行うとともに、破壊されたことを所定連絡先に通知できるという効果が得られる。
【００４２】
次に、本発明の応用例，変形例等について説明する。
【００４３】
・上述した一実施の形態（図４）においては、カバー開閉センサ１５Ａによりカバー１５の開状態→閉状態への遷移が検出された場合、記録媒体１８が装着されているかを確認し、装着されていた場合にカバー１５をロックするとして説明した。応用例として、記録媒体１８の装着に関係なく、カバー１５の開状態→閉状態への遷移が検出された場合に無条件でカバー１５をロックするようにしてもよい。
【００４４】
・上述した一実施の形態（図６）においては、カバー１５がアンロック状態の場合に記録媒体１８が装着されているかを確認し、装着されていた場合に警告表示を行うとして説明した。応用例として、記録媒体１８の装着に関係なく、カバー１５がアンロック状態の場合に無条件で警告表示を行うようにしてもよい。
【００４５】
・上述した一実施の形態においては、カバー１５は横方向にスライドするとして説明したが、縦方向（上下方向）にスライドするものであっても本発明の適用は可能である。
【００４６】
・上述した一実施の形態（図５）においては、ロック解除のための認証を暗証番号によって行う例を示したが、音声や指紋，顔画像等により認証するようにしてもよい。
【図面の簡単な説明】
【００４７】
【図１】本発明の一実施の形態の構成を示す図である。
【図２】本発明における携帯端末１０の外観図である。
【図３】カバー１５のロック状態，アンロック状態を示す図である。
【図４】本発明の一実施の形態における記録媒体１８装着時の動作を示すフローチャートである。
【図５】本発明の一実施の形態におけるロック解除時の動作を示すフローチャートである。
【図６】本発明の一実施の形態におけるアンロック状態警告時の動作を示すフローチャートである。
【図７】本発明の一実施の形態におけるカバー１５破壊時の動作を示すフローチャートである。
【符号の説明】
【００４８】
１０    携帯端末
１１    無線部
１１Ａ    アンテナ
１２    入力部
１３    表示部
１４    スピーカ
１５    カバー
１５Ａ    カバー開閉センサ
１５Ｂ    カバー破壊センサ
１６    ソレノイド
１７    記憶部
１８    記録媒体
１９    制御部
【図１】
2008257337.tif 000003
【図２】
2008257337.tif 000004
【図３】
2008257337.tif 000005
【図４】
2008257337.tif 000006
【図５】
2008257337.tif 000007
【図６】
2008257337.tif 000008
【図７】
2008257337.tif 000009